(57)【特許請求の範囲】
【請求項１】
低伸縮性生地で製作された布製円筒状体を低伸縮性生地製の被りタイプのウエア本体の衿ぐりに縫合して製作された就寝時用ウエアであって、
前記布製円筒状体はその長さが利用者の肩から耳上付近まで、且つその筒周りが利用者の頭周りより１割から２割程度大きいサイズであること、及び、
前記布製円筒状体は二重にした低伸縮性生地製の幅の広い前側衿部材と幅の狭い後側衿部材の２つの布部材のそれぞれの両端を縫合して製作されたものであることを特徴とする就寝時用ウエア。
【請求項２】
前記布製円筒状体はその下側開口端部が逆漏斗状に拡大しているものであることを特徴とする請求項１に記載の就寝時用ウエア。
【請求項３】
前記布製円筒状体には一対の耳掛け穴が設けられていることを特徴とする請求項１又は２に記載の就寝時用ウエア。
【発明の詳細な説明】
【技術分野】
【０００１】
本発明は、被りタイプの就寝時用ウエアに関し、特に夏用パジャマとして使用するのに適した就寝時用ウエアに関する。
【背景技術】
【０００２】
近年の地球の温暖化現象の影響で、都市部の住宅では冷房しないで就寝することが当然のようになっている。一方、CO2の削減のために、冷房の設定温度を高めることも要求されている。このため、パジャマだけで就寝することになるが、首部には冷房の冷気が直接当たるので、喉を痛めたり、風邪を引いたり、熟睡できないなどの問題を抱えている人が非常に多くなっている。
【０００３】
風邪の予防などを目的として、就寝時に冷気から首と頬を保温すると共に鼻や喉の乾燥を防止する最も一般的な方法は、冬用のハイネックパジャマを着込み、首にはハンカチや手拭いを巻き、顔には口を覆うマスクを着用して就寝するものである。しかしながら、この方法は結構面倒であるだけでなく、巻いたハンカチや手拭い、着用したマスクが就寝中に外れるという問題がある。
【０００４】
冬用のハイネックパジャマは、一般に、比較的厚手のメリヤス生地で作られたパジャマ本体に、同じ生地で作られたハイネック襟が縫い付けられて構成されている。そして、前記ハイネック襟は首回りと同じか１割程度で且つ首の半分から３分の２ぐらいの長さである。このような形状とサイズにすることによって、ある程度の首の保温効果が得られる。しかしながら、前記ハイネックパジャマは、風邪の予防に効果的と言われている喉首の保温ができないし、当然ながら頬の保温ができないものである。
【０００５】
利用者の首回りと同程度で頭までの長さ程度のサイズのタートルネック襟を有するウールのタートルネックセーター、及び同程度のサイズのタートルネック襟を有する綿ジャージーのタートルネックインナーウエアが市販され、広く利用されている。これらは、タートルネック襟を二つ折り又は三つ折にして着用されるものであるが、生地の高い伸縮性によってタートルネック襟は利用者の首に密着し、着用位置に確実に保持される。タートルネックセーターもタートルネックインナーウエアも、寒い時期の昼間の衣服としては快適であるが、首への圧迫感があること、及び保温効果が大き過ぎることの理由で就寝時用保温着には適したものではない。
【０００６】
毛糸のネックウォーマーも様々なものが市販されている。この市販のネックウォーマーは、利用者の首回りと同程度で、首の長さ程度のサイズの布製円筒状体からなるもので、生地の高い伸縮性によって前記布製円筒状体を利用者の首に密着させ、これによってネックウォーマーを着用位置に保持するものである。しかしながら、この市販の毛糸のネックウォーマーは、首への圧迫感があること、及び保温効果が大き過ぎることの理由で就寝時用ネックウォーマーには適さないものである。実用新案登録第３１０５９７８号公報（特許文献１）、実用新案登録第３１０５２７１号公報（特許文献２）、実用新案登録第３０９９４６０号公報（特許文献３）に開示されているネックウォーマーも、同様の理由から、就寝時用ネックウォーマーとしては殆ど利用されていないようである。
【０００７】
特開２００３−１５５６０７号公報（特許文献４）には、被りタイプのパジャマ上衣本体にスタンドカラーの衿部を取り付けたパジャマ上衣が記載されている。このパジャマ上衣は、巾の広い立て衿部に連続して前立て部を設けたパジャマ上衣であって、前記前立て部の両側に切り替え部を設け、前記衿部及び前立て部は伸縮性の小さなリバーシブルフライスの布地により形成し、前記切り替え部は伸縮性の大きなリブフライスの布地により形成したことを特徴とするものである。ところで、スタンドカラーの衿部は、生地の高い伸縮性を利用しないで、利用者の首の周りをカバーし、その着用位置を保持するものである。このため、生地の高い伸縮性によって利用者の首に密着し、その着用位置に確実に保持されタートルネック衿と比較すると、スタンドカラーの衿部は構造が複雑である。また、スタンドカラーの衿部を立て衿として使用するときには前立てスナップを閉じなければならないから、利用者にとって面倒であるだけでなく、衿の左右の端部が重ね合わせられる部分に必然的に隙間ができ、この隙間から冷気が侵入する。要するに、スタンドカラーの衿部を備えた被りタイプのパジャマは、風邪予防に効果がある首全体の快適な保温が出来ないし、着心地も快適とは言えないという問題がある。
【０００８】
上述の状況に鑑み、本願の発明者は、高い伸縮方向を縦に且つ二重にした綿ジャージー生地で形成された漏斗状体のタートルネック部であって、その長さが利用者の肩から耳付近まで、その最大筒周りが利用者の頭周りより１割から２割程度大きく且つその最小筒周りが利用者の頭周りと同程度のサイズのゆったりサイズの綿ジャージー製タートルネック部を、丸首の綿ジャージー製保温着本体に縫合した保温着（以下、「綿ジャージー製漏斗状タートルネック部を備えた保温着」という。）を発明し、特許出願（特願２００８−１５７４３１）した。この保温着は、縦方向の高い伸縮性と横方向の低い伸縮性を備えた綿ジャージー生地で製作されているので、冬用保温着には最適であるが、夏用パジャマ上衣には適さない。綿ジャージー生地は通気性が低いからである。そこで、通気性の高いパジャマ用生地で上述の構造の夏用パジャマ上衣を試作したが、失敗した。通気性の高いパジャマ用生地は低伸縮性のために、この生地製の漏斗状体のタートルネック部は着脱が困難なことが分かったからである。なお、試作に使った通気性の高いパジャマ用生地はダブルガーゼ生地である。
【特許文献１】実用新案登録第３１０５９７８号公報
【特許文献２】実用新案登録第３１０５２７１号公報
【特許文献３】実用新案登録第３０９９４６０号公報
【特許文献４】特開２００３−１５５６０７号公報
【発明の開示】
【発明が解決しようとする課題】
【０００９】
本発明が解決しようとする課題は、低伸縮性生地で製作された被りタイプのウエア本体と、その衿ぐりに縫合された布製円筒状体とからなる就寝時用ウエアであって、着脱が容易で、圧迫感のない快適な着用感がある首と頬を保温する布製円筒状体を備えた就寝時用ウエアを提供することである。
【課題を解決するための手段】
【００１０】
上記課題を解決する首と頬を保温する就寝時用ウエアは、低伸縮性生地で製作された布製円筒状体を低伸縮性生地製の被りタイプのウエア本体の衿ぐりに縫合して製作された就寝時用ウエアであって、前記布製円筒状体はその長さが利用者の肩から耳上付近まで、且つその筒周りが利用者の頭周りより１割から２割程度であること、及び、前記布製円筒状体は二重にした低伸縮性生地製の幅の広い前側衿部材と幅の狭い後側衿部材の少なくとも２つの布部材のそれぞれの両端を縫合して製作されたものであることを特徴とするものである。
また、上記課題を解決する首と頬を保温する就寝時用ウエアは、低伸縮性生地で製作された布製円筒状体を低伸縮性生地製の被りタイプのウエア本体の衿ぐりに縫合して製作された就寝時用ウエアであって、前記布製円筒状体はその長さが利用者の肩から耳上付近まで、且つその筒周りが利用者の頭周りより１割から２割程度であること、前記布製円筒状体は二重にした低伸縮性生地製の幅の広い前側衿部材と幅の狭い後側衿部材の少なくとも２つの布部材のそれぞれの両端を縫合して製作されたものであること、及び、前記布製円筒状体はその下側開口端部が逆漏斗状に拡大しているものであることを特徴とするものである。
【発明の効果】
【００１１】
本発明により、低伸縮性生地で製作された被りタイプのウエア本体と、その衿ぐりに縫合された布製円筒状体とからなる就寝時用ウエアであって、着脱が容易で、圧迫感のない快適な着用感がある首と頬を保温する布製円筒状体を備えた就寝時用ウエアが提供された。
また、本発明により、低伸縮性生地で製作された被りタイプのウエア本体と、その衿ぐりに縫合された布製円筒状体とからなる就寝時用ウエアであって、首の保温だけでなく両頬の保温並びに保湿ができる就寝時用ウエアが提供された。
更に、本発明により、低伸縮性生地で製作された被りタイプのウエア本体と、その衿ぐりに縫合された布製円筒状体とからなる就寝時用ウエアであって様々なサイズの被りタイプの就寝時用ウエアを低価格で提供することが可能になった。
更にまた、本発明により、冷房による冷気から喉を保護し、同時に快適な睡眠を促進する夏用タートルネックパジャマが提供された。
【発明を実施するための最良の形態】
【００１２】
本発明に係る就寝時用ウエアは、生地の伸縮性によって利用者の首に密着して使用することが不可能なサイズの低伸縮性生地で製作された布製円筒状体で首と頬を保温する就寝時用ウエアであって、前記布製円筒状体はその長さが利用者の肩から耳上付近まで、且つその筒周りが利用者の頭周りより１割から２割程度大きいサイズであること、その下端部の開口端には前記低伸縮性生地で製作されたウエア本体の襟ぐりが縫合されていること、及び、その上端部には一対の耳掛け部が設けられている。そして、前記布製円筒状体は、その下側開口端部が逆漏斗状に拡大しており、その筒周りは上側開口端部の筒周りよりも１割程度大きくなっている。
【実施例１】
【００１３】
本発明の実施例１の首と頬を保温する布製円筒状体を備えた就寝時用ウエア１は、図１と図２に示す如く、生地の伸縮性によって利用者の首に密着して使用することが不可能なサイズの被りタイプであって、低伸縮性生地で製作された布製円筒状体を備えた就寝時用ウエアである。低伸縮性生地はダブルガーゼ生地であるが、シルク生地や、シルクと綿の混紡生地でもよい。
【００１４】
即ち、この就寝時用ウエアは、二重にしたダブルガーゼ生地で製作された布製円筒状体２０であって、その長さが利用者の肩から耳上付近まで、その筒周りが利用者の頭周りより１割から２割程度大きいサイズの布製円筒状体２０を備える。例えば、女性用の就寝時用ウエア１の布製円筒状体２０の筒周りは、平均的な頭周りが５６ｃｍであるので、６２ｃｍである。また、男性用の就寝時用ウエア１の布製円筒状体２０の筒周りは、平均的な頭周りが５８ｃｍであるので、６４ｃｍである。そして、布製円筒状体２０の下端部２０ｃの開口端にはダブルガーゼ生地製の被りタイプのウエア本体１１の襟ぐりが縫合されており、且つその上端部２０ａには一対の耳掛け穴２３，２３が設けられている。
【００１５】
二重にしたダブルガーゼ生地で製作された布製円筒状体２０は、着脱や洗濯を繰り返しても、その筒回りが拡大し難く、従って、布製円筒状体の最初の形状を概ね保持し続けることができる。
【００１６】
布製円筒状体２０は、二重にしたダブルガーゼ生地製の前側衿部材２１と後側衿部材２２の対応する左右の側端部は縫い代を重ね合わせて縫合し、更に、前記前側衿部材２１の上端部と後側衿部材２２の上端部は縫い代１０ｍｍ程度を折り返して縫合して製作されている。前側衿部材２１と後側衿部材２２の左右の縫い代を重ねて縫い合わせした部分、即ち衿部材縫合部２０ｂ，２０ｂは、ダブルガーゼ生地が四重になっている。また、布製円筒状体２０の上側開口端部２０ａもダブルガーゼ生地が四重になっている。このような構造にしたことによって、二重にしたダブルガーゼ生地で製作された布製円筒状体２０は腰折れと型崩れがし難くなり、着用時の所定位置への保持がし易くなる。
【００１７】
実施例１において、一対の耳掛け穴２３，２３は、前側衿部材２１の左右の上端部にそれぞれ設けられているが、これは前側衿部材２１を後側衿部材２２の２倍程度の大きさにしためである。逆に、後側衿部材２２を前側衿部材２１の２倍程度大きくした場合には、一対の耳掛け穴２３，２３は後側衿部材２２の左右の上端部にそれぞれ設けられる。或いは、前側衿部材２１は後側衿部材２２より２割程度大きくした場合には、一対の耳掛け穴２３，２３は衿部材縫合部２０ｂ，２０ｂの上部に設けられる。
【００１８】
実施例１において、一対の耳掛け穴２３，２３は、横長の楕円形耳掛け穴である。耳掛け穴２３，２３の周縁には、緩衝部２３ａが形成されている。緩衝部２３ａは、耳掛け穴２３の周縁に、ゴム紐のようなクッション材を取り付けて形成されている。布製円筒状体２０は二重にしたダブルガーゼ生地で製作されているので、着脱や洗濯を繰り返しても、布製円筒状体の最初からの形状を概ね保持し続けることができ、従って一対の耳掛け穴２３，２３の相対位置が変わることがない。なお、一対の耳掛け穴２３，２３は円形や横長の長方形でもよい。
【００１９】
布製円筒状体２０は、その長さが利用者の肩から耳上付近までの長さ、例えば２４ｃｍである。また、布製円筒状体２０は、その筒周りが利用者の頭周りより１割から２割程度大きいサイズ、例えば７０ｃｍである。布製円筒状体２０は、市販のタートルネックセーターのタートルネック部とは比較にならない程の大きなタートルネック部である。
【００２０】
布製円筒状体２０の上方への位置ずれを防止するウエア本体１１は、下端部１５が利用者２の臍付近までの長さの袖なしで丸首のダブルガーゼ生地製のウエア本体である。下端部１５は、ダブルガーゼ生地が１０ｍｍ程度の縫い代を折り返されて、且つ縫合されている。
【００２１】
カットソーで製作され布製円筒状体２０の下端開口端２０ｃを、カットソーで製作されたウエア本体１１の衿ぐり１２に縫い付ければ、実施例１の首と頬を保温する就寝時用ウエアが完成する。従って、本発明に係る首と頬を保温する就寝時用ウエアは構成及び製作工程は簡単であり、低コストで製作できる。
【実施例２】
【００２２】
本発明の実施例２は夏用パジャマとして機能する就寝時用ウエアであり、図３と図４に示す如く、ゆったりサイズの布製円筒状体２０はダブルガーゼ生地製のパジャマ上衣本体１１に縫合されて夏用パジャマを構成している。
【００２３】
布製円筒状体２０は、実施例１と同じく、二重にしたダブルガーゼ生地で製作されたものであって、その長さが利用者の肩から耳上付近まで、その筒周りが利用者の頭周りより１割から２割程度大きいサイズのものである。更に、布製円筒状体２０の上端部には一対の耳掛け穴２３，２３をそれぞれ設けている。
【００２４】
布製円筒状体２０の上方への位置ずれを防止するウエア本体１１は、衿ぐり１２、及び腕の付け根付近まで延伸した肩カバー部１４，１４を備え、下端部１５が利用者２の臀部付近までの長さの丸首のダブルガーゼ生地製のパジャマ上衣である。下端部１５は、ダブルガーゼ生地が１０ｍｍ程度の縫い代を折り返されて、且つ縫合されている。
【００２５】
要するに、実施例２の就寝時用ウエアは、実施例１と基本的には同じ構造であるので、以下の２つの相違点を除いて詳細な説明は省略する。
【００２６】
第１の相違点は、布製円筒状体２０の下側開口端部２０ｃを逆漏斗状拡大部としたことである。逆漏斗状拡大部の最大筒周り、即ち実施例２の布製円筒状体２０の下側開口端部２０ｃの筒周りは、布製円筒状体２０の円筒状部の筒周りよりも１割程度大きいもの、例えば６０〜７０ｃｍとなる。なお、前記の布製円筒状体２０の円筒状部の筒周りは、利用者の頭周りより１割から２割程度大きいものである。例えば、女性用の就寝時用ウエア１の布製円筒状体２０の円筒状部の筒周りは、平均的な頭周りが５６ｃｍであるので、６２ｃｍである。また、男性用の就寝時用ウエア１の布製円筒状体２０の円筒状部の筒周りは、平均的な頭周りが５８ｃｍであるので、６４ｃｍである。当然ながら、実施例２の丸首のダブルガーゼ生地製のパジャマ上衣本体１１の衿ぐりの周回りも大きく、逆漏斗状拡大部の最大筒周りに合わせて大きくされている。布製円筒状体２０の下側開口端部２０ｃを逆漏斗状拡大部構造とすることによって、実施例１の就寝時用ウエアよりも、実施例２の就寝時用ウエアは着脱が更に容易になる。
【００２７】
第２の相違点は、ウエア本体１１の構造である。ウエア本体１１は、実施例１においては丈の短いランニングシャツ型であったのに対して、実施例２においては丈の長い丸首のＴシャツ型の夏用パジャマ上衣である。丈の長い丸首のＴシャツ型としたことにより、ウエア本体１１は、布製円筒状体２０の上方への位置ずれを防止する機能だけでなく、ショルダーウォーマー及び腹巻きとしても機能するようになった。
【００２８】
以下、本発明に係る就寝時用ウエアの特徴的作用効果等について説明する。
【００２９】
（就寝時用ウエアの着脱）
ダブルガーゼの如き低伸縮性の生地製の本発明に係る就寝時用ウエアは、着脱は極めて簡単である。利用者２は就寝時用ウエアを頭から被り、布製円筒状体２０から顔の上半分が露出したら、一対の耳掛け穴２３，２３に両耳を引っ掛けるだけで、着用が完了する。そして、着用が完了すると同時に、布製円筒状体２０は、所定着用位置に保持される。また、着用した就寝時用ウエアを外すことも簡単である。本発明に係る就寝時用ウエアはダブルガーゼの如き低伸縮性の生地製であるため、綿ジャージー製漏斗状タートルネック部を備えた保温着の着脱の容易さに比べると劣るが、実用上は全く問題ない。
【００３０】
（布製円筒状体の所定着用位置への保持）
本発明に係る就寝時用ウエア１を利用者が着用すると、ダブルガーゼ生地製の布製筒状体２０は、その上側は耳掛け穴２３によって利用者の耳に係止され、且つその下側はウエア本体着に縫合されている。このため、本発明に係る就寝時用ウエア１のダブルガーゼ生地製の布製筒状体２０は、利用者の耳と肩の間で上からと下から支えられ、カバーすべき利用者の部位の周りに確実に保持される。
【００３１】
即ち、実施例２の就寝時用ウエア１を利用者２が着用すると、図５の正面から見た斜視図と図６の右側から見た斜視図に示す如くとなる。これらの図は、利用者２が起き上がっているときの着用状態であるが、ダブルガーゼ生地製の布製筒状体２０は、利用者２の首から顔の大部分を密着しないでカバーし、同時に両耳付近、鼻、顎などの顔の数箇所に部分的に軽く密着しながら頭部のほぼ下半分を覆っていることが理解されるであろう。また、就寝時用ウエア１は非常にゆったりしたサイズであるため、利用者２が布団やベッドに仰向けに寝たときには、首の前の部分に布製筒状体２０が垂れ下がってきて軽く触れるようになることも理解されるであろう。更に、利用者２が布団やベッドに仰向けに寝たときには、布製筒状体２０の後の部分は利用者の後頭部と枕の間に挟まれ、布製筒状体２０は上下に殆ど移動できなくなる。従って、通常の使用状態ではダブルガーゼ生地製の布製筒状体２０は就寝時に型崩れすることも着用の位置ずれすることもない。
【００３２】
（就寝時用ウエアの保温機能）
本発明に係る就寝時用ウエアの快適な保温機能は、主に、布製円筒状体２０と利用者の首の間に形成され、首をぐるりと囲み、且つ利用者の肩側端部も顎側端部も閉じた筒状閉鎖隙間によって達成されている。前記筒状閉鎖隙間は、長さは利用者の首の長さと同じで、間隔は様々であるが最大は４０ｍｍ程度である。そして、この筒状閉鎖隙間に閉じ込められた空気が、利用者の首全体を包み、冷えた外気が利用者の首に直接伝わらないように機能すると共に、利用者の体温に近い温度を保持する。換言すれば、実施例１の就寝時用ウエアの快適な保温機能と保湿機能は、主に、布製円筒状体２０と利用者の首の間に形成された筒状空気層によって達成されているのである。
【００３３】
また、本発明に係る就寝時用ウエアの快適な保温機能は、前記布製円筒状体２０が利用者の首をぐるりと囲む前記筒状空気層を形成すると共に、残りの部分が利用者の両頬と顎を圧迫感なくカバーしていることによって更に効果的に達成されている。ところで、綿ジャージー製漏斗状タートルネック部を備えた保温着を着用した場合にも、前記漏斗状タートルネック部の漏斗状体と利用者の首の間に、首をぐるりと囲み、且つ利用者の肩側端部も顎側端部も閉じた筒状閉鎖隙間が形成されるが、その間隔は最大でも２０ｍｍ程度である。従って、保温機能は、筒状空気層の間隙が大きい分だけ、本発明に係る就寝時用ウエアが綿ジャージー製漏斗状タートルネック部よりも優れている。
【００３４】
上述の如き快適な保温機能を有するので、本発明に係る就寝時用ウエアを着用した場合は、冷えた外気は首を襲ってこないし、首から水分が逃げることもない。このことから、実施例１又は実施例２の就寝時用ウエアの布製円筒状体２０は、全身の快適な保温機能と共に、両頬並びに首の適度の保湿機能を奏することに貢献していると考えられる。
【００３５】
また、実施例２の夏用パジャマは、そのダブルガーゼ生地製パジャマ上衣本体１１がショルダーウウォーマーと腹巻として機能しているから、肩や背中から冷えた外気が襲ってくることがない。
【００３６】
更に、実施例１又は実施例２の就寝時用ウエアを着用した場合、その布製円筒状体２０は一対の耳掛け穴２３，２３が両耳３，３に掛けられているので、首と顎を隙間無くカバーするネックウォーマーとして機能すると共に、鼻、口及び両頬をカバーするフェイスマスクとして機能する。このため、図５から理解されるように、自分の温かい湿った呼気が布製円筒状体２０の中に入り込むことになるから、保湿機能を更に高めている。
【００３７】
（着用感）
本発明に係る就寝時用ウエアは、生地の伸縮性によって利用者の首に密着して使用することが不可能なサイズの低伸縮性生地で製作された布製円筒状体で首と頬を保温する就寝時用ウエアであるので、利用者２に快適な着用感を与えるものである。即ち、布製円筒状体２０の一対の耳掛け穴２３，２３が両耳３，３に掛けられているときには、布製円筒状体２０の前側の上半分は両耳と顎の三点で支持されているが、これは生地の伸縮性を利用したものではないので、利用者の顔を圧迫することはない。また、布製円筒状体２０の前側の下半分は自重によって首にふんわりと覆い被さるから、利用者の首を圧迫することはない。更に、夏の暑い夜には、通気性が高いダブルガーゼ生地製パジャマ上衣本体１１によって利用者は発汗が抑えられる。従って、特に夏用パジャマとして快適な着用感を利用者に与えるものである。
【図面の簡単な説明】
【００３８】
【図１】実施例１の就寝時用ウエアの正面図である。
【図２】実施例１の就寝時用ウエアの背面図である。
【図３】実施例１の就寝時用ウエアの正面図である。
【図４】実施例１の就寝時用ウエアの背面図である。
【図５】実施例２の就寝時用ウエアを着用し、起き上がっているときの利用者を正面から見た斜視図である。
【図６】実施例２の就寝時用ウエアを着用し、起き上がっているときの利用者を右側から見た斜視図である。
【符号の説明】
【００３９】
１  就寝時用ウエア
２  利用者
３  耳
１１  ウエア本体又はパジャマ上衣
１２  衿ぐり部
１３  袖ぐり部
１４  肩カバー部
１５  下端部
２０  布製円筒状体
２０ａ  上側開口端部
２０ｂ  衿部材縫合部
２０ｃ  下側開口端部
２１  前側衿部材
２２  後側衿部材
２３  耳掛け穴
２３ａ  緩衝部
【図１】
0005224516.tif 000002
【図２】
0005224516.tif 000003
【図３】
0005224516.tif 000004
【図４】
0005224516.tif 000005
【図５】
0005224516.tif 000006
【図６】
0005224516.tif 000007